(57)【特許請求の範囲】
【請求項１】
少なくとも一端部に穿設した挿通孔（１０ａ，１０ａ´）と、該挿通孔（１０ａ，１０ａ´）にハリス（８）を横方向から通すために切欠形成したスリット（１０ｂ）と、を有した釣り針外し具（１０）において、
前記釣り針外し具（１０）は、前記挿通孔（１０ａ，１０ａ´）の他端部側である把手（１０ｇ）側に、釣り針（５）の針先（５ａ）を沈み込ます第２挿入穴（１０ｅ，１０ｅ´）を穿設し、
前記挿通孔（１０ａ，１０ａ´）は、梁部（１０ｃ，１０ｃ´）により第１挿入穴（１０ｄ）と、前記第２挿入穴（１０ｅ，１０ｅ´）と、に分離されると共に、
前記釣り針外し具（１０）の厚さを（ｔ１）、前記梁部（１０ｃ，１０ｃ´）の厚さを（ｔ２）とすると、
該梁部（１０ｃ，１０ｃ´）の厚さ（ｔ２）は、
ｔ２＜ｔ１
で成ることを特徴とする釣り針外し具。
【請求項２】
請求項１記載の発明において、
前記梁部（１０ｃ）は、前記第１挿入穴（１０ｄ）及び第２挿入穴（１０ｅ）の縁（１０ｈ）を曲面状に形成したことを特徴とする釣り針外し具。
【発明の詳細な説明】
【０００１】
【発明の属する技術分野】
本発明は、釣り針外し具に関し、特に魚釣り時に釣り上げた魚の口腔内の奥に引っ掛かった釣り針を魚体を痛めることなく、素早く容易に外すことができるものである。
【０００２】
【従来の技術】
近年、魚釣りが盛んに行われており、釣る魚によっては、釣りをできる期間や大きさや数や魚類などを制限したり、また釣った魚をその場で戻すなどのキャッチアンドリリースも行われている。このような環境下で釣った魚は、釣り針から一刻も早く外さないと魚が弱り、死んでしまうこともある。また、釣り魚を数多く、競技的に釣る場合は、釣った魚を素早く外して餌を付け、手返し良く釣ることが釣果を延ばす要因となる。
【０００３】
しかしながら、魚に釣り針を飲み込まれてしまった場合は、例え釣り針に返しがなくても、釣り針を手で掴むことが不可能になるため、釣り針を素手で外せなくなり、図１に示すような釣り針外し具１が使用される。該釣り針外し具１は、例えば金属製の細長い棒状部材で成り、先端部を平板状に形成して釣り針を通す挿通孔１ａを穿設し、該挿通孔１ａに連通するスリット１ｂを形成したものが一般的に使用されている。
【０００４】
前記釣り針外し具１を使用するときは、まず魚を一方の手で固定し、他方の手でハリス２を前記スリット１ｂに通して図２に示すように挿通孔１ａ内に位置させる。この状態から、該他方の手で、釣り針外し具１の先端側から該釣り針外し具１を魚の口腔内に挿入し、ハリス２を同じ他方の手で掴んで矢印Ａ方向に引っ張り、挿通孔１ａに釣り針３を通す。そして、ハリス２を手で引っ張りながら釣り針外し具１を魚の口腔内の十分奥まで、矢印Ｂ方向に差し込んだ後に、釣り針外し具１を矢印Ｂ方向に動かして刺さっている釣り針３を矢印Ｃ方向に移動させて外す。
【０００５】
【発明が解決しようとする課題】
しかしながら、このような釣り針外し具は、手軽に利用できるが、魚を傷めないように素早く、かつ魚の体内を傷つけないように釣り針外し具を操作できるようになるには、経験積まなければできず、誰もが簡単にできる物ではないという問題点がある。
【０００６】
即ち、釣り針外し具１は、一方の手で魚を掴み、他方の手でハリス２と釣り針外し具１を掴んで操作しなければならず、釣り針３を外す操作が行い難くなっている。
【０００７】
また、釣り針外し具１は、図２の実線で示す釣り針３に示すように釣り針外し具１の挿通孔１ａにハリス２を通して、ハリス２を矢印Ａ方向に引っ張った場合、挿通孔１ａが矢印Ａ方向に直交する方向に穿設しているので、釣り針３が図２及び図３の想像線で示すようにハリス２と金属で成る釣り針３との結び目付近のちもと３ａが挿通孔１ａの開口端に引っ掛かり、図３の実線に示すように釣り針３を挿通孔１ａに入れ込むことが難しい。図２に示す状態で釣り針外し具１を矢印Ｂの魚の口腔の奥側に押し込んだ場合は、ハリス２だけが想像線で示すように湾曲変形するだけで、釣り針３には押圧力が伝達されず、釣り針３を魚の口腔内から外すことはできない。
【０００８】
また、例え図３に示すように上手く釣り針３を挿通孔１ａに入れさせることができたとしても、前述したのと同じように、挿通孔１ａがハリス２を引っ張る矢印Ａ方向に対して直交する方向にストレートに穿設しているので、挿通孔１ａの上下の開口端が釣り針３のちもと３ａに当接する。これにより、釣り針外し具１で釣り針３を魚の口腔から外すのに該釣り針３を理想的な位置に移動させようとしても、釣り針３が挿通孔１ａに引っ掛かり、上手く外せないという問題点がある。
【０００９】
また、釣り針外し具１で魚に飲み込まれた釣り針３を外す作業をするとき、ハリス２は、矢印Ａ方向に引っ張った状態を、指でハリス２を釣り針外し具１に押さえ付けることで、保持しながら行わなければならず、釣り針３を外す作業がし難いという問題点がある。
【００１０】
例え、ハリス２を矢印Ａ方向に引っ張り、釣り針３を上手く挿通孔１ａに挿入したとしても、釣り針３は、図４に示すように針先３ｂが釣り針外し具１から突出しているので、釣り針３を魚の口腔から外し難いという問題点がある。
【００１１】
本発明は、誰もが容易に操作でき、かつ安価に製造することができる釣り針外し具を提供することを目的とする。
【００１７】
【課題を解決するための手段】
本発明は、前記した課題を解決するために次のように構成した。
請求項１の発明は、少なくとも一端部に穿設した挿通孔と、該挿通孔にハリスを横方向から通すために切欠形成したスリットと、を有した釣り針外し具において、前記釣り針外し具は、前記挿通孔の他端部側である把手側に、釣り針の針先を沈み込ます第２挿入穴を穿設し、前記挿通孔は、梁部により第１挿入穴と、前記第２挿入穴と、に分離されると共に、前記釣り針外し具の厚さを（ｔ１）、前記梁部の厚さをとすると、該梁部の厚さ（ｔ２）は、ｔ２＜ｔ１で成る。
【００２０】
請求項２の発明は、請求項１記載の発明において、前記梁部は、前記第１挿入穴、及び第２挿入穴の縁を曲面状に形成したことで成る。
【００２４】
【発明の実施の形態】
第１の実施の形態（図５、図６、図７）
まず、図５、図６、及び図７に基づき本発明に於ける第１の実施の形態を詳述する。
【００２５】
４は、ステンレスやスチールやアルミニウム等の金属、又は樹脂等で成る釣り針外し具である。該釣り針外し具４は、少なくとも一端に釣り針５及びハリス８を通すための挿通孔４ａを穿設している。該釣り針外し具４は、少なくても前記挿通孔４ａの周辺の断面が長方形で成る。該釣り針外し具４は、細長い捧状部材で成り、一端部にスリット４ｂを有する前記挿通孔４ａを穿設し、他端部に手で握る部位とななる把手部４ｃ、略中央部にハリス止め６を有する。尚、釣り針外し具４は、両端に挿通孔４ａを穿設し、どちらか一方の挿通孔４ａ側を随時に把手部４ｃとして手で握って釣り針５を外してもよい。
【００２６】
前記挿通孔４ａは、釣り針外し具４の側面側に釣り針５及びハリス８を該挿通孔４ａに通すための前記スリット４ｂを穿設し、前記ハリス止め６側の内壁に傾斜面４ｄを形成している。該傾斜面４は、図５及び図７に示すようにハリス８を矢印Ｄ方向に引っ張っり、かつ釣り針外し具４を矢印Ｅ方向に押し込んだときに、挿通孔４ａ内にある釣り針５を矢印Ｆ方向に滑らせるように移動させるために形成したものである。釣り針５の針先５ａは、通常、魚の口腔Ｉに矢印Ｊ方向に刺さっている。該釣り針５の刺さっている方向と逆の矢印Ｆ方向に釣り針５を移動させることで、該釣り針５は、針先５ａが挿通孔４ａ内に没入することにより、刺さっていた魚の口腔Ｉから抜け、容易に外れる。
【００２７】
前記ハリス止め６は、ハリス８の一端の釣り針５を針外し具４の挿通孔４ａに挿入し、弛んだ状態のハリス８の他端側を該ハリス止め６でピンを張った状態に保持して、釣り針５の外し作業を容易にさせるためのものである。即ち、従来指でハリス８を押さえ付けて釣り針５の外し作業をしていたのを、このハリス止め６で自動ハリス止めのように一時的にハリス８を自動固定することで、釣り針５の外し作業中にハリス８を指で押えることを不要にするものである。
【００２８】
該ハリス止め６は、例えば前記傾斜面４ｄとは反対側の表面４ｆに密着するように設置した板状小片で、樹脂、金属、竹、又は木製で成る。該ハリス止め６は、一方の前記挿通孔４ａ側を固定具７で釣り針外し具４に固定し、他方の把手部４ｃ側にハリス８を保持する挟持部６ａを有する。尚、前記ハリス止め６は、釣り針外し具４の側面側に設置しても表裏面側に設置しても良く、その設置場所は特に限定しない。
【００２９】
ハリス止め６を釣り針外し具４に固定する固定具７は、例えば、糸、又は張り金で巻き付けて固定しても、又は金具で抱く加締して固定してもよい。尚、該ハリス止め６は、釣り針外し具４と一体に樹脂成形し、挟持部６ａを表面４ｆに圧接するようにしてもよく、該ハリス止め６を釣り針外し具に固定手段は、特に限定しない。
【００３０】
前記挟持部６ａは、例えば図７に示すように傾斜面を形成して、ハリス８が入り込む隙間６ｂを形成し、該挟持部６ａでハリス８を表面４ｆに圧接させてハリス８を張った状態で保持するための部位である。
【００３１】
前記把手部４ｃは、手で釣り針外し具４を掴む部位で、平板状でも角棒、又は丸棒状でもどちらでもよく、特にその形状は限定しない。また、該把持部４ｃは、釣り針外し具４の両端に挿通孔４ａを穿設した場合、一方の挿通孔４ａに釣り針５を入れ、他方の挿通孔４ｂ側を掴むことで、掴んだ部位が把手部４ｃと成る。
【００３２】
魚の口腔Ｉ内に刺さった釣り針５の針先５ａを外すには、ハリス８を矢印Ｄ方向に引っ張る。すると挿通孔４ａの開口端４ｅが、釣り針５とハリス８との結び目と成るちもと５ｂから該釣り針５の最も遠い位置となる曲げ部５ｃに圧接する。このハリス８を引っ張った状態で、ハリス８を前記ハリス止め６に固定する。
【００３３】
この状態で、釣り針外し具４を矢印Ｅ方向に押し込んだとき、釣り針５は、魚の口腔Ｉに刺さっている針先５ａに近い曲げ部５ｃが押されるので、外すのに最適な箇所を押圧することができ、釣り針５を抜き易い。そして、針先５ａは、傾斜面４ｄに圧接することで、傾斜面４ｄを滑り降りるように刺さった方向と反対の矢印Ｆ方向に移動し、針先５ａが挿通孔４ａ内に没入する。
【００３４】
釣り針５は、図５に示すように挿通孔４ａに傾斜面４ｄを形成したことで、釣り針５の曲げ部５ｃが傾斜面４ｄの下側の開口端４に圧接するので、釣り針外し具４の表面４ｆから該釣り針外し具４の厚さ分の長さＨ１沈み込む。これにより、魚の口腔Ｉの奥に刺さった釣り針５が自然と抜け、容易に抜くことができる。そして、このまま、釣り針外し具４を魚の口から引き抜くことで、魚の口から釣り針５を外すことができる。
【００３５】
尚、釣り針外し具４の大きさ、及び挿通孔４ａの大きさは、釣り針５の大きさに合わせて、大型用と小型用等に分けて使用することで、釣り針外し具４をすべての大きさの釣り針５に使用することができる。
【００３６】
第２の実施の形態（図８）
次に図８に基づき本発明における第２の実施の形態を詳述する。前述した第１の実施の形態と同じものは、同一符号を使用してその説明を省略する。
本発明における第２の実施の形態は、前述した第１の実施の形態に於ける挿通孔４ａの傾斜面４ａを図８に示すように、表側と裏側とに２個所形成した釣り針外し具９である。
【００３７】
該釣り針外し具９は、釣り針５を挿通孔９ａに通すためのスリット９ｂを形成している。該挿通孔９ａは、ハリス止め６側の表面側に第１傾斜面９ｃ、該第１傾斜面９ｃに連続して裏面側に第２傾斜面９ｄ、を形成している。これにより、挿通孔９ａは、表側と裏側とが同じ対称形状となり、どちらの面から釣り針５を挿入してもスムーズに釣り針５を外せるようにすることができる。
【００３８】
即ち、魚が飲み込んだ釣り針５のハリス８をスリット９ｂに通して、挿通孔９ａ内に通し、釣り針外し具９を魚の口の奥に押し込んだときに、挿通孔９ａの下側に傾斜面９ｄがあるため、挿通孔９ａの開口端に釣り針５の結び目の部分が引っ掛からずスムーズに挿通孔９ａを釣り針５の曲げ部５ｃの位置に移動させることができる。
【００３９】
釣り針外し具９を更に押し込むと、該釣り針外し具９は、挿通孔９ａの傾斜面９ｃと傾斜面９ｄが合流する部位が頂点９ｅとなり、かつ挿通孔９ａの中心線上の把手部側の頂点９ｅが押圧部となって、釣り針５を押圧する。釣り針５は、釣り針外し具９の前記頂点９ｅで押圧されることで、図８に示すようにちもと５ｂから一番遠い部分となる曲げ部５ｃが頂点９ｅに当接する位置に移動する。このとき、釣り針５は、図４に示す従来の釣り針外し具１のときより、針先５ａが釣り針外し具９の表面９ｆから頂点９ｅまでの深さＨ２、挿通孔９ａ内に沈み込む。
【００４０】
これにより、針先５ａが魚の口腔Ｉに刺さっている部分も、傾斜面９ｃに沿って刺さっている針先５ａの方向とは逆の抜けるＫ方向に移動するため、飲み込んだ釣り針５が容易に抜けるようになる。また、釣り針外し具９は、上下対称形状であるため、どちらを上側にしても、同様に使用することができる。
【００４１】
また、釣り針外し具９の大きさ、及び挿通孔９ａの大きさは、本発明の第１実施の形態同様に、釣り針５の大きさに合わせて、大型用と小型用等に分けて使用することで、釣り針外し具９をすべての大きさの釣り針５に使用することができる。
【００４２】
第３の実施の形態（図９及び図１０）
次に図９、及び図１０に基づき本発明おける第３の実施の形態を詳述する。前述した第１の実施の形態と同じものは、同一符号を使用してその説明を省略する。
本発明における第３の実施の形態は、前述した第１の実施の形態に於ける挿通孔４ａを図９、及び図１０に示すように、２つに分離させて形成した釣り針外し具１０である。
【００４３】
該釣り針外し具１０は、釣り針５を挿通孔１０ａに通すためのスリット１０ｂを形成している。該挿通孔１０ａは、略中央に、該挿通孔１０ａを二分する梁部１０ｃを釣り針外し具１０の長手方向に対して直交する方向に架設している。該挿通孔１０ａは、前記梁部１０ｃにより第１挿入穴１０ｄと、第２挿入穴１０ｅと、に分離される。
【００４４】
第１挿入穴１０ｄには、前記釣り針５を挿入孔１０ａ内に配置するためのスリット１０ｂを形成し、該第１挿入穴１０ｄに釣り針５の曲げ部５ｃが挿入される。該第１挿入穴１０ｄは、例えば図１０に示すような長円形をした穴で成る。
【００４５】
第２挿入穴１０ｅには、第１挿入穴１０ｄに挿入した釣り針５が大きい場合、針先５ａが入り込み、釣り針５のサイズに関係なく釣り針外し具１０を使用できるようにする穴である。該第２挿入穴１０ｅは、例えば図１０に示すような長円形をした穴で成る。
【００４６】
前記梁部１０ｃは、挿通孔１０ａの周囲の釣り針外し具１０の厚さをｔ１、該梁部１０ｃの厚さをｔ２とした場合、
ｔ１＞ｔ２
とする。
【００４７】
該梁部１０ｃは、図９に示すように断面が略長円形をしている。尚、該梁部１０ｃは、第１挿入穴１０ｄ側の縁１０ｈを前述した第２実施の形態に於ける図８のように上下面に傾斜面９ｃ，９ｄを形成した楔形状にしてもよい。梁部１０ｃは、断面が長円形又は楔形にすることにより、前述した第２実施の形態の傾斜面９ｃ，９ｄと同様な作用・効果があり、釣り針外し具１０を押圧したとき、挿通孔１０ａ内の釣り針５が魚の口から抜き取り易い所望位置に移動するようにさせることができる。
【００４８】
第１挿入穴１０ｄに釣り針５を挿入して、釣り針外し具１０を矢印Ｈ方向に押圧すると、釣り針５の曲げ部５ｃが梁部１０ｃの縁１０ｈに押圧されて移動し、針先５ａが第２挿入穴１０ｅ内に沈み込む。このとき、釣り針５は、図４に示す従来の釣り針外し具１のときより、図９に示すように針先５ａが釣り針外し具１０の表面１０ｆから挿通孔１０ａの縁１０ｈまでの深さＨ３に沈み込む。
【００４９】
これにより針先５ａが釣り針外し具１０の表面１０ｆから突出しなくなり、魚の口腔Ｉに刺さっていた釣り針１０の針先５ａ部分が刺さっている方向と逆の抜ける方向に移動して口腔Ｉから抜けて釣り針５を魚の喉からスムーズに外すことができる。
【００５０】
尚、前述した図９及び図１０に示す挿通孔１０ａ、梁部１０ｃ及び第２挿入穴１０ｅは、図１１及び図１２に示す挿通孔１０ａ’、梁部１０ｃ’及び第２挿入穴１０ｅ’ようにしても、同じ作用・効果を得ることができる。即ち、前記挿通孔１０ａ’は、該挿通孔１０ａ’内に貫通した孔で成る第１挿入穴１０ｄ’と、窪み状の盲孔で成る第２挿入穴１０ｅ’と、第２挿入穴１０ｅ’を形成する梁部１０ｃ’とで成る。該梁部１０ｃ’は、盲孔で成る第２挿入穴１０ｅ’の底面部を形成する。
【００５１】
前述した第２挿入穴１０ｅ、１０ｅ’は、釣り針５を魚の口内から外すときに、挿通孔１０ａ，１０ａ’に挿通した釣り針５の針先５ａが沈み込ますことができるように、釣り針外し具１０の表面１０ｆ又は裏面１０ｉからは針先５ａが没入する程度に窪んだ窪みであればよい。また、梁部１０ｃ，１０ｃ’は、図１１に示すように挿通孔１０ａ，１０ａ’の内壁から第１挿入穴１０ｄ，１０ｄ’まで突き出た棚状のものでもよい。
【００５２】
また、釣り針外し具１０の大きさ、及び挿通孔１０ａ，１０ａ’の大きさは、本発明の第１、２実施の形態同様に、釣り針５の大きさに合わせて、大型用と小型用等に分けて使用することで、釣り針外し具１０をすべての大きさの釣り針５に使用することができる。
【００５３】
また、ハリス止め６は、図１０、及び図１１にハリス止め１０ｊで示すように釣り針外し具１０に一体に形成してもよい。この場合、釣り針外し具１０は、前記ハリス止め１０ｊを一体形成した樹脂等で成る。ハリス止め１０ｊは、挟持部１０ｋが釣り針外し具１０の表面１０ｆ及び裏面１０ｉに圧接して、ハリス８を自動ハリス止めのように一時的に保持する弾性片で成る。
【００５４】
第４の実施の形態（図１３及び図１４）
次に図１３、及び図１４に基づき本発明における第４の実施の形態を詳述する。前述した第１の実施の形態と同じものは、同一符号を使用してその説明を省略する。
【００５５】
本発明における第４の実施の形態は、前述した第１の実施の形態に於ける挿通孔４ａの周辺に突起１１ｃ，１１ｄを図１３及び図１４に示すように形成した釣り針外し具１１である。
【００５６】
該釣り針外し具１１は、釣り針５を挿通孔１１ａに通すためのスリット１１ｂを形成している。該挿通孔１１ａは、ハリス止め６側の縁に湾曲面１１ｅを形成した長円形の穴で成る。
【００５７】
該挿通孔１１ａの両側には、図１４に示すように釣り針外し具１１の中心線に沿って、前記突起１１ｃ，１１ｄを形成している。該突起１１ｃ，１１ｄは、表面１１ｆから高さＨ４の突出した土手状のもので、釣り針外し具１１に一体形成している。該突起１１ｃ，１１ｄは、魚の口腔Ｉとの摩擦を軽減してスムーズに釣り針外し具１１を口腔ｆ内で移動できるように、例えば図１３に示すように略円弧状で成る。
【００５８】
また、該突起１１ｃ，１１ｄは、両端にアールＲを形成したものでもよい。該突起１１ｃ，１１ｄは、２枚の板状のもので成り、互いに対称形状で、挿通孔１１ａを介して対向して配置している。該突起１１ｃ，１１ｄは、釣り針外し具１１の表面１１ｆ側に配設しても、表面１１ｆ又は裏面１１ｈ側のどちらかに設置しても、両側に設置してもどちかでもよい。
【００５９】
挿入孔１１ａに釣り針５を挿入して、釣り針外し具１１を矢印Ｇ方向に押圧すると、釣り針５の曲げ部５ｃが前記湾曲部５ｃの最先端部と湾曲部１１ｅの頂点とが圧接する位置まで押圧されて移動し、針先５ａが突起１１ｃ、１１ｄの間に逃げ込む。このとき、釣り針５は、図４に示す従来の釣り針外し具１のときより、図１３に示すように釣り針５が突起１１ｃ，１１ｄ間内に深さＨ４に沈み込む。
【００６０】
魚の口に刺さった針先５ａは、刺さっている方向とは略逆方向に移動することになる。これにより針先５ａが釣り針外し具１１の表面１１ｆから突出しなくなり、魚の口腔Ｉに刺さっていた釣り針５の針先５ａ部分が抜けて釣り針５を魚の喉からスムーズに外すことができる。尚、前記突起１１ｃ，１１ｄの高さＨは、図１３に示すように挿通孔１１ａを挿通した針先５ａが沈み込むことができる高さ程度あればよい。
【００６１】
また、釣り針外し具１１の大きさ、及び挿通孔１１ａの大きさは、本発明の第１、２、３実施の形態同様に、釣り針５の大きさに合わせて、大型用と小型用等に分けて使用することで、釣り針外し具１１をすべての大きさの釣り針５に使用することができる。
【００６２】
また、第１、２、及び３実施の形態で説明したハリス止め６、及び１０ｊは、図１３、及び図１４のハリス止め１１ｉで示すように釣り針外し具１１に一体に形成してもよい。この場合、釣り針外し具１１は、前記ハリス止め１１ｉを刃物でカットして反り起こすようにして一体形成した爪状の弾性片で成る。ハリス止め１１ｉは、挟持部１１ｊ内にハリス８を圧入することで、自動ハリス止めのようにハリス８を一時的に保持する弾性片で成る。
【００６８】
【発明の効果】
本発明は、以上のような構成・作用で成るので次のような効果を奏する。
請求項１の発明は、少なくとも一端部に穿設した挿通孔と、該挿通孔にハリスを横方向から通すために切欠形成したスリットと、を有した釣り針外し具において、前記釣り針外し具は、前記挿通孔の他端部側である把手側に、釣り針の針先を沈み込ます第２挿入穴を穿設したことで、小型の釣り針を釣り針外し具で外すときに、梁部に釣り針の曲げ部が当接するように移動させることができ、容易に釣り針を抜くことができる。
また、前記挿通孔は、梁部により第１挿入穴と、第２挿入穴と、に分離したことで、魚に飲み込まれた小型の釣り針を釣り針外し具で外すべく、ハリスを釣り針外し具の挿通孔に通して該釣り針外し具を魚の口腔内に押し込んだときに、小型の釣り針の曲げ部が梁部に圧接して釣り針の針先が第２挿入穴内に沈み込むように移動させて、奥深く刺さって針先が魚の口腔から刺さった方向と逆の方向に移動するので、釣り針が自動的に抜けるので、飲み込まれた釣り針の外し作業が容易、素早くでき、手返し良く釣りをすることができる。
さらに、釣り針外し具の厚さをｔ１、梁部の厚さをｔ２とすると、該梁部の厚さｔ２は、ｔ２＜ｔ１で成るので、魚に飲み込まれた小型の釣り針を釣り針外し具で外すべく、ハリスを釣り針外し具の挿通孔に通して該釣り針外し具を魚の口腔内に押し込んだときに、小型の釣り針の曲げ部が梁部の端部に圧接して釣り針の針先が厚さの薄い梁部上に沈み込むように移動して、奥深く刺さって針先が魚の口腔から刺さった方向と逆の方向に移動するので、釣り針が自動的に抜けるので、飲み込まれた釣り針の外し作業が容易である。
【００７１】
請求項２の発明は、請求項２記載の発明において、前記梁部は、前記第１挿入穴、及び第２挿入穴の縁を曲面状に形成したことで、魚に飲み込まれた釣り針を釣り針外し具で外すべく、ハリスを釣り針外し具を挿通孔に通して該釣り針外し具を魚の口腔内に押し込んだときに、釣り針の曲げ部が梁部の曲面状の縁に圧接して釣り針の針先が第１及び第１挿入穴内に容易に沈み込むように移動し易くなり、奥深く刺さって針先が魚の口腔から刺さった方向と逆の方向に移動するので、釣り針が自動的に抜けるので、飲み込まれた釣り針を魚の口腔内から素早く抜くことができ、魚を傷めることがない。また、縁が曲面状をしているのでハリスが縁に圧接したときに切断されることを防止することができる。
【図面の簡単な説明】
【図１】従来の釣り針外し具を示す正面図である。
【図２】従来の釣り針外し具を示す図面で、釣り針外し具の挿通孔にハリスを通したときの状態を示す１部断面を有する要部拡大側面図である。
【図３】従来の釣り針外し具を示す図面で、釣り針外し具の挿通孔にハリスを通し矢印Ａ方向にハリスを引っ張ったときの状態を示す１部断面を有する要部拡大側面図である。
【図４】従来の釣り針外し具を示す図面で、釣り針外し具の挿通孔にハリスを通し矢印Ａ方向にハリスを引っ張ったときの状態を示す１部断面を有する要部拡大側面図である。
【図５】本発明に於ける第１の実施の形態を示す図面で、釣り針外し具の挿通孔に釣り針を通したときの状態を示す１部断面を有する要部拡大側面図である。
【図６】本発明に於ける第１の実施の形態を示す図面で、釣り針外し具の挿通孔の拡大正面図である。
【図７】本発明に於ける第１の実施の形態を示す図面で、釣り針外し具の一部断面を有する側面図であるである。
【図８】本発明に於ける第２の実施の形態を示す図面で、釣り針外し具の要部拡大断面図である。
【図９】本発明に於ける第３の実施の形態を示す図面で、釣り針外し具の要部拡大断面図である。
【図１０】本発明に於ける第３の実施の形態を示す図面で、釣り針外し具の要部拡大正面図である。
【図１１】本発明に於ける他の実施の形態を示す図面で、釣り針外し具の要部拡大断面図である。
【図１２】本発明に於ける他の実施の形態を示す図面で、釣り針外し具の要部拡大正面図である。
【図１３】本発明に於ける第４の実施の形態を示す図面で、釣り針外し具の要部拡大断面図である。
【図１４】本発明に於ける第４の実施の形態を示す図面で、釣り針外し具の要部拡大正面図である。
【符号の説明】
４，９，１０，１１  釣り針外し具
４ａ，９ａ，１０ａ，１０ａ’，１１ａ  挿通孔
４ｂ，９ｂ，１０ｂ，１１ｂ  スリット
４ｃ，１０ｇ，１１ｇ  把手部
４ｄ，９ｃ，９ｄ  傾斜面
４ｆ、９ｆ，１０ｆ，１１ｆ  表面
６，１０ｊ，１１ｉ  ハリス止め
６ａ，１０ｋ，１１ｊ  挟持部
８  ハリス
１０ｃ，１０ｃ’  梁部
１０ｄ，１０ｄ’  第１挿入穴
１０ｅ，１０ｅ’  第２挿入穴
１０ｈ，１１ｇ  縁
１１ｃ，１１ｄ  突起
１１ｅ  湾曲面
ｔ１  針外し具の厚さ
ｔ２  梁部の厚さ
【図１】
0003584252.tif 000002
【図２】
0003584252.tif 000003
【図３】
0003584252.tif 000004
【図４】
0003584252.tif 000005
【図５】
0003584252.tif 000006
【図６】
0003584252.tif 000007
【図７】
0003584252.tif 000008
【図８】
0003584252.tif 000009
【図９】
0003584252.tif 000010
【図１０】
0003584252.tif 000011
【図１１】
0003584252.tif 000012
【図１２】
0003584252.tif 000013
【図１３】
0003584252.tif 000014
【図１４】
0003584252.tif 000015